(57)【特許請求の範囲】
【請求項１】
移動電話の電話番号を入力する入力手段と、入力された前記電話番号の少なくともキャリアを特定する電話番号部分とメール作成のための情報を対応付けて記憶する記憶手段と、前記入力手段より入力された電話番号と、前記記憶手段に記憶されている電話番号部分の一致を検出する一致検出手段と、該一致検出手段による電話番号の一致を検出することにより、入力された電話番号と一致が検出された前記記憶手段に記憶されている電話番号部分に対応付けて記憶されているメール作成のための情報を繋ぎ合わせることによりメールアドレスを合成するメールアドレス合成手段と、を備えたことを特徴とする電子メールアドレス作成システム。
【請求項２】
請求項１に記載の電子メールアドレス作成システムにおいて、作成されたメールアドレスを編集することを可能としたことを特徴とする電子メールアドレス作成システム。
【発明の詳細な説明】
【０００１】
【発明の属する技術分野】
本発明は、電子メールを送受信可能な装置およびシステムに係わり、特に、電子メースアドレスの入力を、移動電話の電話番号から自動作成することができるシステムに関するものである。
【０００２】
【従来の技術】
従来、電子メールアドレスと携帯電話の電話番号を関連付けた技術として、例えば、特開平１０−１３５４５号公報に記載されているように、電話番号を含むアドレスを記述した電子メールから電話番号に相当する部分を抽出し、その電話番号に電話を掛けるといった提案がなされている。
【０００３】
【発明が解決しようとする課題】
しかしながら、上記従来の技術では、電話番号を含むメールアドレスから当該電話番号を抽出することは可能であるが、電話番号からメールアドレスを作成することはできず、電話番号からメールアドレスを作成するには、電話番号に続くアドレスを、ユーザが何らかの操作により、入力するか、あるいは選択を行う必要があり、いずれの場合も、相手の電話番号に続くメールアドレスを知っておく必要があった。
また、メールアドレスを知っていたとしても、入力するか、あるいは選択を行う操作が必要であった。
本発明は、電話番号と、メールアドレスを対応づけて記憶しておいて、電話番号を入力するだけで、自動的にメールアドレスを検索し出力する装置を提供することを目的とする。
【０００４】
【課題を解決するための手段】
本発明は、移動電話の電話番号を入力する入力手段と、入力された前記電話番号の少なくともキャリアを特定する電話番号部分とメール作成のための情報を対応付けて記憶する記憶手段と、前記入力手段より入力された電話番号と、前記記憶手段に記憶されている電話番号部分の一致を検出する一致検出手段と、該一致検出手段による電話番号の一致を検出することにより、入力された電話番号と一致が検出された前記記憶手段に記憶されている電話番号部分に対応付けて記憶されているメール作成のための情報を繋ぎ合わせることによりメールアドレスを合成するメールアドレス合成手段と、を備えた電子メールアドレス作成システムである。
【０００５】
さらに、本発明は、前記電子メールアドレス作成システムにより作成されたメールアドレスを編集することを可能としたものである。
【０００６】
【発明の実施の形態】
図１は、本発明の電子メールアドレス作成システムの構成を示すブロック図である。
本発明の電子メールアドレス作成システムは、入力部１、電話番号メモリ部２、抽出部３、抽出メモリ部４、照合部５、記憶部６、合成部７、表示部８からなる。
入力部１は、電話番号または新しい情報を入力するためのものであり、キーボード等の装置或いは、電話番号サービスのように受信した電話番号等のデータ信号に含まれる電話番号（例えば、図面では「ｇｈｉ-ｊｋａｂ−ｌｍｒｓ」）を取り出すことが可能な装置にて構成される。
【０００７】
電話番号メモリ部２は、入力された電話番号の桁数の記憶容量をもち、入力部１から入力された電話番号を記憶する。
抽出部３は、電話番号メモリ部２に記憶されている電話番号のうち、上ｎ桁の番号（図面ではｎ＝５で「ｇｈｉ-ｊｋ」）を抽出する。
ここでのｎ桁については、後で説明する。
【０００８】
抽出メモリ部４は、抽出部３で抽出されたデータを記憶する。
照合部５は、抽出メモリ部４に記憶された抽出データと、記憶部６に記憶されたデータの特定部分のデータとを照合する。
記憶部６には、キャリア毎に設定されている電話番号（図中左欄）と、そのキャリアに対するメールアドレス作成のための“＠”以降のメールアドレスデータ（図中右欄）とが対応付けられて、予め記憶されている。
なお、図中、“○”にて示しているデータ部分に関しては、それが如何なる番号であっても一致しているものとして照合される。
照合部５において、照合された結果、記憶部６の中に、適合データを検出することができれば、照合部５は、検出した電話番号に対応して記憶されている“＠”以降のメールアドレスデータを合成部７に出力する。
適合データを検出することができなければ、抽出部３に戻り、ｎ＝ｎ−１として、桁を１桁少なく設定し、再度抽出の指示を出力する。
【０００９】
合成部７は、照合部５から出力された“＠”以降のメールアドレスデータと電話番号メモリ部２に記憶されている電話番号とを合成するものであり、電話番号メモリ部２に記憶されている電話番号の後に、照合部５から出力された“＠”以降のメールアドレスデータを繋ぎ合わせ、最終的なメールアドレスを作成し、表示部８に出力する。
【００１０】
表示部８は、合成部７から出力されたメールアドレスデータを表示し、ここでユーザは、作成された電子メールアドレスの正誤を判定し、正しければ処理を終了し、誤っていればユーザは合成部７で合成されたメールアドレスを、入力部１を操作することにより修正し、同時に記憶部６に記憶された情報を更新することができる。
【００１１】
次に、ユーザが本発明の電子メール作成システムを用いて、電子メールを得る手順を、図面を参照して説明する。
図２は、本発明の電子メールアドレス作成システムの処理手順を示したフローチャート図である。
図３〜図７は、各手順における表示部８における表示画面８１の例を示す図である。
まず、ユーザが、電話番号を図示していないキーボード等により入力する（ステップＳ１）。
図３は、このときの表示部８の表示画面８１に表示される入力画面である。図示の例は、携帯電話の電話番号を入力した場合のものである。
ここでの入力は、先に説明したように、電話番号サービス等により受信した信号に含まれる電話番号を利用することも可能である。
次に、入力された電話番号から電話番号の上ｎ桁（ここでは、ｎ＝“電話番号の桁数”−１）を抽出する（ステップＳ２）。
【００１２】
そして、抽出した電話番号と予め記憶部６に記憶されたデータとの照合を行い、適合電話番号データがあるか否かが判定される（ステップＳ３）。
適合する電話番号がなければ、ｎ桁の桁数を１桁減らして（ｎ＝ｎ−１）（ステップＳ４）ステップＳ２へ戻る。
この時、ｎが０となることにより、「該当データ無し」にて処理を終了させる。
【００１３】
適合する電話番号があれば、適合した電話番号データに対応付けて記憶されている“＠”以降のメールアドレスデータを抽出する（ステップＳ５）。
次いで、抽出された“＠”以降のメールアドレスデータを、ステップＳ１で入力された電話番号の後に付加し電子メールアドレスを合成する（ステップＳ６）。
そして、合成された電子メールアドレスを表示部へ出力し、表示を行う（ステップＳ７）。
ここで、表示部８の表示画面８１には、図４に示すようなメールアドレス確認画面が表示され、合成されたメールアドレスが表示されると共に、正誤の確認要求をユーザに求める。
【００１４】
ユーザは、表示部に表示された電子メールアドレスの正誤を判定する（ステップＳ８）。
ユーザが、正しいと判定し、「採用」ボタンをクリックすると、表示画面８１には、図５に示すように、図３のメールアドレスの欄に、その合成された電子メールアドレスが表示されるとともに、記憶部６に保存され、処理を終了する
また、誤っていると判定し、「修正」ボタンをクリックすると、図６に示すようなメールアドレス修正画面に切り替わり、正しいデータの入力が要求される。ユーザは、新しいデータを入力する（ステップＳ９）と、図７に示されるように、図６のメールアドレスの欄に入力された新しいデータが表示される。
ここで「登録」ボタンをクリックすると、図４のメールアドレス確認画面が再度表示され、そこで「採用」ボタンをクリックすれば、図３のメールアドレスの欄に、その修正された電子メールアドレスが表示されるとともに、訂正されたデータは、記憶部６の誤った古いデータに上書きされ（ステップＳ１０）、ステップＳ６に戻る。
【００１５】
そして、ユーザが、図４に示すメールアドレス確認画面において、「不採用」ボタンをクリックしたときは、図３の画面に戻り、メールアドレスは、保存されることなく処理を終了する。
【００１６】
【発明の効果】
本発明によれば、移動電話の電話番号の少なくともキャリアを特定する電話番号部分とメール作成のための情報を対応付けて記憶しておき、電話番号を入力するだけで、メールアドレスが抽出でき、ユーザの入力の手間を著しく省略することができる。
【図面の簡単な説明】
【図１】本発明に係る電子メールアドレス作成システムのブロック図である。
【図２】本発明に係る電子メールアドレス作成システムのフローチャート図である。
【図３】本発明による表示部の表示画面（電話番号入力時）を示す図である。
【図４】本発明による表示部の表示画面（確認アラート表示時）を示す図である。
【図５】本発明による表示部の表示画面（メールアドレス追加時）を示す図である。
【図６】本発明による表示部の表示画面（メールアドレス修正時）を示す図である。
【図７】本発明による表示部の表示画面（メールアドレス修正後）を示す図である。
【符号の説明】
１…入力部、２…電話番号メモリ部、３…抽出部、４…抽出メモリ部、５…照合部、６…記憶部、７…合成部、８…表示部、８１…表示画面。
【図１】
0003641175.tif 000002
【図２】
0003641175.tif 000003
【図３】
0003641175.tif 000004
【図４】
0003641175.tif 000005
【図５】
0003641175.tif 000006
【図６】
0003641175.tif 000007
【図７】
0003641175.tif 000008